(57)【要約】【課題】近年急速な人口増加による森林伐採や、化石燃料の大量消費などによる炭酸ガスの増加に伴ない激しい気象変化など地球環境は危機的状況に近づきつつある。しかし、一般の人々は普段その危機感を持つことは難しい。【解決手段】１種類以上の環境数値の変化率をインプットし、それに基づいてそれぞれが短時間で数値が変わるようにした環境数値表示装置を考案した。視覚的に環境変化の激しさが実感でき、危機感が意識され、環境を保護する行動を促すことができる。【選択図】図１
2008026842.tif 000002
【特許請求の範囲】
【請求項１】
予め選ばれた１種類以上の環境数値の変化の速度をインプットし、時間とともに変化する該環境数値を表示することを特徴とする環境数値表示装置。
【請求項２】
環境数値の変化率または表示数値を変更できる仕組みを備えた請求項１の環境数値表示装置。
【請求項３】
任意の時刻での該環境数値を印字できる装置を備えた請求項１または２の環境数値表示装置。
【請求項４】
映像、画像又はメッセージなどを同時に見ることの出来る装置を備えた請求項１〜３の環境数値表示装置。
【請求項５】
現在及び選択した過去または未来の年月時間表示とその時点の環境数値が同時に表示され、過去または未来と現在の数値の比較ができる請求項１〜４の環境数値表示装置。
【請求項６】
請求項１または４または５の表示内容をケーブルまたは電波通信などによって配信するシステムを組み込んだ環境数値表示装置。
【発明の詳細な説明】
【技術分野】
【０００１】  本発明は、時間とともに変化する人口、森林面積などリアルタイムの環境数値を表示する装置に関する。
【背景技術】
【０００２】  近年、世界の木材消費の増大や焼畑などの影響による森林破壊や車社会の進んだ先進国に加え、途上国といわれた中国、インド、ブラジルなど人口増加に加え近代化が急速に進み、経済成長に伴う生産活動や生活の変化によるＣＯ２排出量の増大などにより地球環境が取り返しのつかない状態になりつつあることが警告されている。【０００３】  従来、増加傾向にある人口や減少傾向にある森林面積などある時点での数字は報告されている。（地球環境データブック２００２−２００３）しかし現時点での数値についてすぐに知るのは難しい。その変化率についての情報がある場合は現時点での数値を計算することがある程度可能であるが、１分、１秒で変化するものであるので例えば１時間後はどうなるか知るのは困難であった。
【発明の開示】
【発明が解決しようとする課題】
【０００４】  以上に述べたように従来の地球環境数値の情報に関しては、過去の時点での数値であり刻々と変化する現時点の数値を表示し、またその変化の程度を実感できるものは存在しなかった。【０００５】  本発明は、人口増加や森林面積の減少、ＣＯ２増加、平均気温上昇など刻々と変化する現時点での環境数値を知ることができ、またその変化の程度を実感できる表示装置を提供することを目的としたものである。
【課題を解決するための手段】
【０００６】  上記の課題を解決するために、本発明品は環境数値の変化の速度を予めインプットし、それに基づいて時間とともに変化する環境数値を表示する複数桁を有するカウンターを備えたものである。複数の異なる環境数値を並列して同時に見ることもできる。また年月日時分秒などを表示する時計を備えることが好ましい。【０００７】  環境の変化は一定ではないので途中変化率又は表示数値を変更できるような仕組みを備えることもできる。【０００８】  コンピュータなどと組み合わせ任意の時間の環境数値を印字できるようにすると記録を保存したり、他人に伝えることができる。【０００９】  また、該表示装置の同一面若しくは他の面に動画、映像、メッセージなどを見ることが出来る装置を組み合わせると表示パネルを注目させ、かつより長時間眺めることになり効果的である。【００１０】  一定の期間でどのくらい変化したかが比較できるように現在及び選択した過去又は未来の年月時間とその時点の環境数値が同時に表示できるようにすることもできる。【００１１】  上記の表示をケーブルや電波で通信しコンピュータや携帯電話、テレビなどで受信し表示をみることができるようなシステムにすることもできる。その場合装置がなくても誰でも表示がみることができる。【００１２】  環境数値の桁は変化の程度を実感できるよう末桁表示を見ている間に変化するように数値の変化が１０秒以内に一回以上行われる単位にすることが好ましい。例えば、世界の人口の場合１秒間に２．４人増加する（２００３年７月２８日  第３刷  １秒の世界  ダイヤモンド社  山本良一  編集）という調査報告をもとにすると、最終末桁の単位は１人ということで、全人口を約６０億とすると最大１０桁の表示になる。【００１３】  この場合数値の変化は１分間で１４４人（３桁）、１時間で８，６４０人（４桁）、１日で２０７，３６０人（６桁）、１ヶ月で６，２２０，８００人（７桁）、１年で７４，６４９，６００人（８桁）というようになる。このように１時間後には４桁目が変化するため例えば２桁目から３桁目までなど一部省略してもかまわない。また１０年以上たたないと変化しない桁は数値を固定してもかまわない。【００１４】  本発明に用いる時間とともに変化する環境数字の表示の方法はアナログ的に歯車の回転を連動させて表示変化を日めくり的又は回転板で行う方法と電子回路を用いてＬＥＤランプまたは液晶表示等によって行うことができる。【００１５】  表示する内容は世界の人口、森林面積、砂漠面積、氷山の面積、空気中の炭酸ガス濃度、オゾン層面積、平均気温、生存生物種類数など多くのものがある。これらは世界の環境統計データーから選択して装置に組み入れるデーターを作成することができる。この場合最も信頼できるような研究機関を選択することが好ましい。この研究報告から最近の年間平均変化率を計算し、本発明品の表示装置に組み入れる。
【発明の効果】
【００１６】  上述したように本発明の環境数値表示装置は１０秒以内に刻々と変化する世界の人口数など、その変化の激しさを数字の変動によって書面や耳などの情報より強く実感することができ、環境保護に関わる活動を促すことができる。【００１７】  また、映像との組み合わせによってより注目させることができ、さらに印刷によってタイムリーな記録、未来の予測も容易に可能となる。【００１８】  さらに、本発明装置の表示内容をウエーブや電波によって送信することによって世界中により多くの人々に見せることができる。
【発明の実施するための最良の形態】
【００１９】  以下、本発明の実施の形態を図１〜２に基づいて説明する。
【００２０】  図１は本発明の環境数値表示部のパネルの一例であり、実施例では１が現時刻の世界の総人口数をカウントしている。末桁の単位は１人で１秒間に２．４人増加するように設計されている。
【００２１】  表示パネルの２の表示は世界の森林総面積で末桁の単位は１ｈａで１秒間に０．５１ｈａ減少するように設計されている。
【００２２】  表示パネルの３の表示は現在の時刻で左から年・月・日・分・秒を表示している。
【００２３】  環境表示数は内部の記憶ＩＣチップに１秒間あたりの変化率と初期値をインプットし、バックアップバッテリーを内蔵して時間とともに変化する数値を記憶していて、表示装置を作動させたときに自動的に現時点での数値を表示する。
【００２４】  図２の操作パネルには電源４やヒューズ５の他に変化率や表示を変更する操作スイッチが設けられている。
【００２５】  パネルの内部には全ての電子部品が配置されている。
【図面の簡単な説明】
【００】
【図１】本発明の実施形態を示す環境数値表示装置の表示パネル面図
【図２】同環境数値表示装置の操作パネル面図
【符号の説明】
【００】１  環境数値表示１（世界の人口数）
２  環境数値表示２（森林面積ｈａ）
３  現時刻表示（年・月・日・時・分・秒）
４  電源スイッチ
５  電源ヒューズ
６  表示修正スイッチ
７  変化率修正スイッチ
【図１】
2008026842.tif 000003
【図２】
2008026842.tif 000004